(57)【要約】【課題】印刷指示に対する出力の際に利用者の生体情報に応じた距離を移動させることが可能な情報処理装置及びプログラムを提供する。【解決手段】情報処理装置としてサーバ装置４は、利用者について測定された生体情報、及び利用者の現在位置を示す位置情報を外部装置としてのウェアラブル装置２から取得する取得手段と、取得された生体情報及び位置情報に基づいて、印刷指示に対する出力先として決定された画像形成装置５を利用者に通知する通知手段とを備える。【選択図】図１
2018160031.tif 000002
【特許請求の範囲】
【請求項１】
利用者について測定された生体情報、及び前記利用者の現在位置を示す位置情報を外部装置から取得する取得手段と、
取得された前記生体情報及び前記位置情報に基づいて、印刷指示に対する出力先として決定された画像形成装置を前記利用者に通知する通知手段と、
を備えた情報処理装置。
【請求項２】
前記通知手段は、取得された前記生体情報に含まれる活動量及び前記位置情報に基づいて、決定された前記画像形成装置を前記利用者に通知する、
請求項１に記載の情報処理装置。
【請求項３】
前記通知手段は、前記活動量が目標値よりも少ない場合は、前記活動量が目標値以上の場合よりも前記利用者の位置から遠い画像形成装置を前記利用者に通知する、
請求項２に記載の情報処理装置。
【請求項４】
前記通知手段は、決定された前記画像形成装置の位置、前記現在位置、及び前記利用者が前記現在位置から決定された前記画像形成装置の位置まで移動した場合の活動量を含む出力先通知画面の情報を前記利用者が使用する端末装置に送信する、
請求項２に記載の情報処理装置。
【請求項５】
前記通知手段は、決定された前記画像形成装置、他の画像形成装置、及び前記利用者が前記現在位置から各画像形成装置の位置まで移動した場合の活動量を含む出力先選択画面の情報を前記利用者が使用する端末装置に送信し、１つの画像形成装置を選択させる、
請求項２に記載の情報処理装置。
【請求項６】
前記通知手段は、取得された前記生体情報から推定された疲労度、及び前記位置情報に基づいて決定された前記画像形成装置を前記利用者に通知する、
請求項１に記載の情報処理装置。
【請求項７】
前記通知手段は、前記疲労度が目標値を超えている場合は、前記疲労度が目標値以下の場合よりも前記利用者の位置に近い前記画像形成装置を前記利用者に通知する、
請求項６に記載の情報処理装置。
【請求項８】
前記位置情報に基づいて前記現在位置から各画像形成装置の位置までのそれぞれの距離を求め、取得された前記生体情報に対応する距離及び前記それぞれの距離に基づいて前記画像形成装置を決定する決定手段をさらに備えた、
請求項１から７のいずれか１項に記載の情報処理装置。
【請求項９】
前記外部装置は、前記利用者に装着されるウェアラブル端末である、
請求項１から８のいずれか１項に記載の情報処理装置。
【請求項１０】
利用者について測定された生体情報、前記利用者の現在位置を示す位置情報、印刷対象及び印刷条件を含む印刷指示情報を受信する受信手段と、
前記印刷指示情報から前記生体情報及び前記位置情報を抽出する抽出手段と、
抽出された前記生体情報及び前記位置情報に基づいて、前記印刷対象の出力先として決定された画像形成装置を前記利用者に通知する通知手段と、
を備えた情報処理装置。
【請求項１１】
コンピュータを、
利用者について測定された生体情報、及び前記利用者の現在位置を示す位置情報を外部装置から取得する取得手段と、
取得された前記生体情報及び前記位置情報に基づいて、印刷指示に対する出力先として決定された画像形成装置を前記利用者に通知する通知手段として機能させるためのプログラム。
【発明の詳細な説明】
【技術分野】
【０００１】
本発明は、情報処理装置及びプログラムに関する。
【背景技術】
【０００２】
近年、オフィス等に置かれた画像形成装置の既存の機能を利用して利便性が高い健康管理の環境をユーザに提供する健康管理システムが提案されている（例えば、特許文献１参照。）。
【０００３】
特許文献１に記載された健康管理システムは、所定の組織の敷地内に配置された複数の画像形成装置と、認証に成功した時点で複数の画像形成装置のうち負荷が最も少ない画像形成装置を特定し、特定された画像形成装置を用いて組織の構成員に対して健康管理データを提供するものである。
【先行技術文献】
【特許文献】
【０００４】
【特許文献１】特開２０１３−２１８５６１号公報
【発明の概要】
【発明が解決しようとする課題】
【０００５】
本発明の課題の一つは、印刷指示に対する出力の際に利用者の生体情報に応じた距離を移動させることが可能な情報処理装置及びプログラムを提供することにある。
【課題を解決するための手段】
【０００６】
［１］利用者について測定された生体情報、及び前記利用者の現在位置を示す位置情報を外部装置から取得する取得手段と、
取得された前記生体情報及び前記位置情報に基づいて、印刷指示に対する出力先として決定された画像形成装置を前記利用者に通知する通知手段と、を備えた情報処理装置。
［２］前記通知手段は、取得された前記生体情報に含まれる活動量及び前記位置情報に基づいて、決定された前記画像形成装置を前記利用者に通知する、前記［１］に記載の情報処理装置。
［３］前記通知手段は、前記活動量が目標値よりも少ない場合は、前記活動量が目標値以上の場合よりも前記利用者の位置から遠い画像形成装置を前記利用者に通知する、前記［２］に記載の情報処理装置。
［４］前記通知手段は、決定された前記画像形成装置の位置、前記現在位置、及び前記利用者が前記現在位置から決定された前記画像形成装置の位置まで移動した場合の活動量を含む出力先通知画面の情報を前記利用者が使用する端末装置に送信する、前記［２］に記載の情報処理装置。
［５］前記通知手段は、決定された前記画像形成装置、他の画像形成装置、及び前記利用者が前記現在位置から各画像形成装置の位置まで移動した場合の活動量を含む出力先選択画面の情報を前記利用者が使用する端末装置に送信し、１つの画像形成装置を選択させる、前記［２］に記載の情報処理装置。
［６］前記通知手段は、取得された前記生体情報から推定された疲労度、及び前記位置情報に基づいて決定された前記画像形成装置を前記利用者に通知する、前記［１］に記載の情報処理装置。
［７］前記通知手段は、前記疲労度が目標値を超えている場合は、前記疲労度が目標値以下の場合よりも前記利用者の位置に近い前記画像形成装置を前記利用者に通知する、前記［６］に記載の情報処理装置。
［８］前記位置情報に基づいて前記現在位置から各画像形成装置の位置までのそれぞれの距離を求め、取得された前記生体情報に対応する距離及び前記それぞれの距離に基づいて前記画像形成装置を決定する決定手段をさらに備えた、前記［１］から［７］のいずれかに記載の情報処理装置。
［９］前記外部装置は、前記利用者に装着されるウェアラブル端末である、前記［１］から［８］のいずれかに記載の情報処理装置。
［１０］利用者について測定された生体情報、前記利用者の現在位置を示す位置情報、印刷対象及び印刷条件を含む印刷指示情報を受信する受信手段と、
前記印刷指示情報から前記生体情報及び前記位置情報を抽出する抽出手段と、
抽出された前記生体情報及び前記位置情報に基づいて、前記印刷対象の出力先として決定された画像形成装置を前記利用者に通知する通知手段と、を備えた情報処理装置。
［１１］コンピュータを、利用者について測定された生体情報、及び前記利用者の現在位置を示す位置情報を外部装置から取得する取得手段と、
取得された前記生体情報及び前記位置情報に基づいて、印刷指示に対する出力先として決定された画像形成装置を前記利用者に通知する通知手段として機能させるためのプログラム。
【発明の効果】
【０００７】
請求項１、８、９、１１に係る発明によれば、印刷指示に対する出力の際に利用者の生体情報に応じた距離を移動させることが可能になる。
請求項２、３に係る発明によれば、利用者の活動量に応じた距離を移動させることが可能になる。
請求項４に係る発明によれば、決定された画像形成装置の位置、現在位置、及び活動量を視覚的に認識することができる。
請求項５に係る発明によれば、現在位置から各画像形成装置の位置まで移動した場合の活動量を考慮して画像形成装置を選択することができる。
請求項６、７に係る発明によれば、利用者の疲労度に応じた距離を移動させることが可能になる。
請求項１０に係る発明によれば、生体情報を印刷指示情報とは別に送信する場合と比較して通信量を抑制することができる。
【図面の簡単な説明】
【０００８】
【図１】図１は、本発明の第１の実施の形態に係る情報処理システムの構成例を示す図である。
【図２】図２は、ウェアラブル端末装置及びユーザ端末装置の制御系の一例を示すブロック図である。
【図３】図３は、サーバ装置の制御系の一例を示すブロック図である。
【図４】図４は、画像形成装置位置テーブルの一例を示す図である。
【図５】図５は、ユーザ端末装置の表示部に表示された出力先通知画面の一例を示す図である。
【図６】図６は、第１の実施の形態に係る情報処理システムの動作の一例をフローチャートである。
【図７】図７は、本発明の第２の実施の形態に係るサーバ装置の制御系の一例を示すブロック図である。
【図８】図８は、ユーザ端末装置の表示部に表示された出力先選択画面の一例を示す図である。
【図９】図９は、第２の実施の形態に係る情報処理システムの動作の一例をフローチャートである。
【発明を実施するための形態】
【０００９】
以下、本発明の実施の形態について図面を参照して説明する。なお、各図中、実質的に同一の機能を有する構成要素については、同一の符号を付してその重複した説明を省略する。
【００１０】
［実施の形態の要約］
本実施の形態に係る情報処理装置は、利用者について測定された生体情報、及び利用者の現在位置を示す位置情報を外部装置から取得する取得手段と、取得された生体情報及び位置情報に基づいて、印刷指示に対する出力先として決定された画像形成装置を利用者に通知する通知手段とを備える。
【００１１】
「生体情報」は、身体が発信する情報であり、例えば、以下の情報が含まれる。
（ａ）歩数、消費カロリー等の活動量
（ｂ）心拍数（脈拍数）、呼吸数、体温、血圧のバイタル情報
（ｃ）発汗量、眼電位、顔画像等のその他の情報
【００１２】
活動量は、１日ごとの活動量でもよいし、１週間等のある期間ごとの活動量でもよい。上記（ｂ）のバイタル情報や上記（ｃ）のその他の情報から疲労度（ストレスの度合い）を推定してもよい。「利用者」とは、画像形成装置を利用する権限を有する者をいう。
【００１３】
［第１の実施の形態］
図１は、本発明の第１の実施の形態に係る情報処理システムの構成例を示す図である。この情報処理システム１は、ユーザに装着されてユーザの生体情報を測定するウェアラブル端末装置２と、ユーザが操作するユーザ端末装置３と、ユーザ端末装置３からの印刷指示に対して出力先を決定するサーバ装置４と、出力先となり得る複数の画像形成装置５１〜５Ｎ（これらを総称するときは「画像形成装置５」ともいう。）と、ユーザの生体情報を管理する生体情報管理装置６とを備える。ユーザは、利用者の一例である。ウェアラブル端末装置２は、外部装置の一例である。ユーザ端末装置３は、外部装置の一例である。サーバ装置４は、情報処理装置の一例である。
【００１４】
ユーザ端末装置３、サーバ装置４、画像形成装置５及び生体情報管理装置６は、ネットワーク７によって互いに接続されている。ネットワーク７は、例えば、ＬＡＮ（Local Area Network）、インターネット等であり、有線でも無線でもよい。
【００１５】
画像形成装置５は、オンデマンドプリントの機能を有する。オンデマンドプリントの機能とは、印刷ジョブをサーバ装置４経由で画像形成装置５に出力した後、ユーザが出力先の画像形成装置５に対して操作することにより印刷を実行することができる機能である。画像形成装置５は、例えば、スキャン、プリント、コピー、ファクシミリ等の複数の機能を有する複合機である。なお、画像形成装置５は、オンデマンドプリントの機能を有しているのなら、プリンタでもよい。印刷ジョブは、印刷指示情報の一例である。
【００１６】
生体情報管理装置６は、ユーザの生体情報を長期間（例えば数年以上）に渡って管理し、例えば、ユーザの生体情報に対する評価を定期的（例えば１ヶ月ごと）に行い、その評価結果をユーザ端末装置３に送信してユーザに通知する。なお、サーバ装置４が生体情報管理装置６の機能を有していてもよい。
【００１７】
図２は、ウェアラブル端末装置２及びユーザ端末装置３の制御系の一例を示すブロック図である。
【００１８】
（ウェアラブル端末装置２の構成）
ウェアラブル端末装置２は、ウェアラブル端末装置２の各部を制御する制御部２０と、各種の情報を記憶する記憶部２１と、ユーザの生体情報を測定する生体情報測定部２２と、自装置２の現在位置を示す位置情報を取得する位置情報取得部２３と、ユーザ端末装置３と無線通信を行う無線通信部２４とを備える。
【００１９】
ウェアラブル端末装置２には、腕に装着するリストバンド型、腰に装着するベルト型、左右の腕、肩、胸、背中等に接触するシャツ型、頭部に装着するメガネ型あるいはゴーグル型、耳に装着するイヤホン型等がある。本実施の形態では、リストバンド型を用いるが、他のタイプのものを用いてもよく、複数のタイプのものを併用してよい。疲労度の推定に眼電位を用いる場合には、例えば、眼電位センサを備えたメガネ型のウェアラブル端末装置を用いてもよい。また、疲労度の推定に顔写真を用いる場合には、例えば、ユーザ端末装置３が有するカメラを用いてもよい。
【００２０】
生体情報測定部２２は、例えば24：00に１日の歩数を測定する歩数計と、予め定められた時刻（例えば8：00）に心拍数を測定する心拍計と、予め定められた時刻（例えば8：00）に血圧を測定する血圧計とを備える。生体情報測定部２２により測定された１日の歩数、心拍数及び血圧は、測定日時とともに、制御部２０の制御により、生体情報として記憶部２１に記憶される。なお、生体情報測定部２２は、歩数、心拍数及び血圧以外に他の生体情報を測定してもよい。
【００２１】
位置情報取得部２３は、例えば、ＧＰＳ（Global Positioning System）や、Ｗｉ−Ｆｉ（登録商標）を用いて位置情報を取得する。位置情報には、例えば、緯度及び経度が含まれるが、高度が含まれてもよい。
【００２２】
無線通信部２４は、例えば、Ｂｌｕｅｔｏｏｔｈ（登録商標）やＷｉ−Ｆｉ等の無線ＬＡＮを用いることができる。
【００２３】
制御部２０は、記憶部２１に記憶された生体情報を、ユーザを識別するユーザＩＤとともに定期的（例えば、毎日8：30）にユーザ端末装置３に送信する。
【００２４】
なお、ウェアラブル端末装置２は、位置情報の取得を行い、生体情報の測定をユーザに装着されていない外部装置としての測定装置が行ってもよい。また、位置情報の取得をユーザが所持するスマートフォン等を利用し、ウェアラブル端末装置２又は測定装置が生体情報を測定してもよい。
【００２５】
（ユーザ端末装置の構成）
ユーザ端末装置３は、ＣＰＵ（Central Processing Unit）、インターフェース等から構成された制御部３０と、ＲＯＭ（Read Only Memory）、ＲＡＭ（Random Access Memory）、ハードディスク等から構成された記憶部３１と、キーボード、マウス等により実現される入力部３２と、液晶ディスプレイ等により実現される表示部３３と、ウェアラブル端末装置２と無線通信を行う無線通信部３４と、例えばＮＩＣ（Network Interface Card）等によって実現され、ネットワーク７を介してサーバ装置４と通信するネットワーク通信部３５とを備える。なお、入力部３２及び表示部３３は、タッチパネルディスプレイにより構成してもよい。
【００２６】
ユーザ端末装置３は、例えば、パーソナルコンピュータ、多機能携帯電話機（スマートフォン）等の携帯型の情報処理装置を用いることができる。
【００２７】
無線通信部３４は、例えば、Ｂｌｕｅｔｏｏｔｈ（登録商標）やＷｉ−Ｆｉ等の無線ＬＡＮを用いることができる。
【００２８】
制御部３０は、ＣＰＵ（Central Processing Unit）、インターフェース等から構成されている。ＣＰＵは、記憶部３１のプログラム格納部３１０に格納されたプログラムに従って動作することにより、生体情報受信手段３０１、印刷ジョブ生成手段３０２、印刷ジョブ送信手段３０３、出力先受信手段３０４等として機能する。各手段３０１〜３０４の詳細については後述する。
【００２９】
記憶部３１は、ＲＯＭ（Read Only Memory）、ＲＡＭ（Random Access Memory）、ハードディスク等から構成され、プリンタドライバ等のプログラムを格納するプログラム格納部３１０と、文書データを格納する文書データ格納部３１１と、生体情報を格納する生体情報格納部３１２とを備える。なお、文書データには、写真、図表、イラスト等のデータが含まれていてもよい。
【００３０】
生体情報格納部３１２には、ウェアラブル端末装置２から定期的に送信される生体情報がユーザＩＤに対応付けて格納される。
【００３１】
生体情報受信手段３０１は、ウェアラブル端末装置２から送信された生体情報を無線通信部３４を介して受信し、受信した生体情報をユーザＩＤに対応付けて生体情報格納部３１２に格納する。
【００３２】
印刷ジョブ生成手段３０２は、ユーザＩＤ、生体情報、文書データ及び印刷条件を画像形成装置５で解釈可能な記述言語、例えばページ記述言語(ＰＤＬ：Page Description Language)で記述した印刷ジョブを生成する。なお、文書データ以外の属性情報がプリンタジョブ言語（ＰＪＬ：Print Job Language）で記述されてもよい。ページ記述言語には、ＰＳ（Post Script）（登録商標）、ＰＤＦ（Portable Document Format）、ＡＲＴ、ＰＣＬ（Printer Control Language）等がある。
【００３３】
印刷ジョブ送信手段３０３は、印刷ジョブ生成手段３０２により生成された印刷ジョブをネットワーク通信部３５及びネットワーク７を介してサーバ装置４に送信する。
【００３４】
出力先受信手段３０４は、サーバ装置４から送信された出力先通知画面の情報を受信し、表示部３３に出力先通知画面を表示する。
【００３５】
（サーバ装置の構成）
図３は、サーバ装置４の制御系の一例を示すブロック図である。サーバ装置４は、ＣＰＵ（Central Processing Unit）、インターフェース等から構成された制御部４０と、ＲＯＭ（Read Only Memory）、ＲＡＭ（Random Access Memory）、ハードディスク等から構成された記憶部４１と、例えばＮＩＣ（Network Interface Card）等によって実現され、ネットワーク７を介して画像形成装置５及び生体情報管理装置６と通信するネットワーク通信部４２とを備える。
【００３６】
制御部４０は、ＣＰＵ（Central Processing Unit）、インターフェース等から構成されている。ＣＰＵは、記憶部４１のプログラム格納部４１０に格納されたプログラムに従って動作することにより、印刷ジョブ受信手段４００、取得手段４０１、決定手段４０２Ａ、通知手段４０３Ａ、印刷ジョブ送信手段４０４等として機能する。各手段４００、４０１、４０２Ａ、４０３Ａ、４０４の詳細については後述する。
【００３７】
記憶部４１は、ＲＯＭ（Read Only Memory）、ＲＡＭ（Random Access Memory）、ハードディスク等から構成され、プログラムを格納するプログラム格納部４１０と、画像形成装置位置テーブル４１１ａ（図４参照）を格納する画像形成装置位置テーブル格納部４１１と、生体情報を格納する生体情報格納部４１２とを備える。
【００３８】
（画像形成装置位置テーブルの構成）
図４は、画像形成装置位置テーブル４１１ａの一例を示す図である。画像形成装置位置テーブル４１１ａには、画像形成装置５１〜５Ｎを識別する画像形成装置ＩＤが登録される「画像形成装置ＩＤ」欄、それぞれの画像形成装置５１〜５Ｎの位置情報としての位置（経度、緯度）が登録される「位置」欄、画像形成装置５の稼働状況が登録される「稼働状況」欄が設けられている。画像形成装置５１〜５Ｎは、本実施の形態では、同一建物の同一のフロアに設置されているものとする。画像形成装置５の設置場所は、例えば、コンビニエンスストア等の異なる建物でもよい。
【００３９】
印刷ジョブ受信手段４００は、ユーザ端末装置３からネットワーク７を介して送信された印刷ジョブを受信する。
【００４０】
取得手段４０１は、印刷ジョブ受信手段４００が受信した印刷ジョブからユーザの位置情報及び生体情報を取得する。取得手段４０１は、取得した生体情報をユーザＩＤに対応付けて生体情報格納部４１２に格納する。
【００４１】
決定手段４０２Ａは、取得手段４０１により取得されたユーザの位置情報、及び画像形成装置位置テーブル４１１ａに登録されている画像形成装置５の位置情報に基づいて、ユーザの位置から各画像形成装置５の位置までの距離Ｌ１〜ＬＮを算出する。
【００４２】
決定手段４０２Ａは、ユーザの位置から各画像形成装置５の位置までの距離の平均値Ｌｍ＝（Ｌ１＋Ｌ２＋・・・ＬＮ）／Ｎを算出する。決定手段４０２Ａは、例えば、平均値よりも短い距離の画像形成装置５をユーザに近いグループの画像形成装置とし、平均値よりも長い距離の画像形成装置５をユーザから遠いグループの画像形成装置とする。
【００４３】
決定手段４０２Ａは、生体情報格納部４１２から当該ユーザの生体情報を読み出し、生体情報から活動量を取得する。決定手段４０２Ａは、ユーザの前日の活動量が目標値未満の場合は、ユーザから遠いグループの画像形成装置５の中から１つの画像形成装置５を選択し、その画像形成装置５を出力先として決定する。ユーザの前日の活動量が目標値以上の場合は、ユーザに近いグループの画像形成装置５の中から１つの画像形成装置５を選択し、その画像形成装置５を出力先として決定する。なお、活動量の目標値は、性別に応じて予め定められた値でもよいし、ユーザが申告した値でもよい。
【００４４】
１つの画像形成装置５の選択の方法は、例えば、ユーザから遠いグループの画像形成装置５から選択する場合は、当該グループの画像形成装置５のうちユーザから最も遠い画像形成装置５としてもよい。また、例えば、ユーザに近いグループの画像形成装置５から選択する場合は、当該グループの画像形成装置５のうちユーザに最も近い画像形成装置５としてもよい。
【００４５】
決定手段４０２Ａは、位置情報に基づいて現在位置から各画像形成装置５までのそれぞれの距離を求め、取得された活動量に対応する距離（例えば目標値と活動量との差）及び求めたそれぞれの距離に基づいて出力先の画像形成装置５を決定してもよい。例えば、目標値と活動量（但し、目標値＞活動量）との差が大きいほど遠い画像形成装置５を出力先として決定してもよい。また、目標値と活動量（但し、目標値＜活動量）との差が大きいほど近い画像形成装置５を出力先として決定してもよい。
【００４６】
通知手段４０３Ａは、取得された生体情報及び位置情報に基づいて、印刷指示に対する出力先として決定された画像形成装置をユーザに通知する。通知手段４０３Ａは、例えば、取得された生体情報に含まれる活動量及び位置情報に基づいて、決定された画像形成装置をユーザに通知する。通知手段４０３Ａは、活動量が目標値未満の場合は、活動量が目標値以上の場合よりもユーザの位置から遠い画像形成装置をユーザに通知してもよい。通知手段４０３Ａは、決定された画像形成装置の位置、現在位置、及びユーザが現在位置から決定された画像形成装置の位置まで移動した場合の活動量を含む出力先通知画面の情報をユーザ端末装置３に送信してもよい。
【００４７】
印刷ジョブ送信手段４０４は、印刷ジョブから生体情報を除去し、その印刷ジョブをネットワーク通信部４２及びネットワーク７を介して決定手段４０２Ａにより決定された出力先の画像形成装置５に送信する。
【００４８】
制御部４０は、生体情報格納部４１２にユーザＩＤに対応付けて格納されている生体情報を定期的（例えば１ヶ月ごと）に生体情報管理装置６に送信する。
【００４９】
（第１の実施の形態の動作）
次に、第１の実施の形態に係る情報処理システム１の動作の一例について図５を参照し、図６のフローチャートに従って説明する。
【００５０】
（１）ウェアラブル端末装置及びユーザ端末装置の動作
ウェアラブル端末装置２の生体情報測定部２２は、毎日予め定められた時刻（例えば、歩数は24：00、心拍数及び血圧は8：00）に歩数、心拍数及び血圧を測定する。ウェアラブル端末装置２の記憶部２１には、歩数、心拍数及び血圧が測定日時とともに生体情報として記憶される。
【００５１】
ウェアラブル端末装置２の制御部２０は、毎日予め定められた時刻（例えば、8:30）に最新（歩数は前日）の生体情報を記憶部２１から読み出し、読み出した生体情報を無線通信部２４によりユーザ端末装置３に送信する。
【００５２】
ユーザ端末装置３の生体情報受信手段３０１は、ウェアラブル端末装置２から送信された生体情報を無線通信部３４を介して受信し、受信した生体情報をユーザＩＤに対応付けて生体情報格納部３１２に格納する。
【００５３】
ユーザが入力部３２を操作して文書データ格納部３１１に格納されている文書データの中から１つの文書データを選択し、印刷条件を設定して印刷指示を行うと、印刷ジョブ生成手段３０２は、印刷指示を受け付けし、ウェアラブル端末装置２に位置情報の送信を要求する。
【００５４】
ウェアラブル端末装置２の制御部２０は、位置情報取得部２３によりユーザの現在位置を示す位置情報を取得し、取得した位置情報をユーザＩＤとともにユーザ端末装置３に送信する。
【００５５】
ユーザ端末装置３の印刷ジョブ生成手段３０２は、ウェアラブル端末装置２から送信されたユーザの位置情報を受信し、生体情報格納部３１２から最新の生体情報を取得する。そして印刷ジョブ生成手段３０２は、ページ記述言語で記述した、ユーザＩＤ、生体情報、位置情報、印刷条件及び印刷データ（文書データをＰＤＬで記述したデータ）を含む印刷ジョブを生成する。
【００５６】
印刷ジョブ送信手段３０３は、生成された印刷ジョブをネットワーク通信部３５及びネットワーク７を介してサーバ装置４に送信する。
【００５７】
（２）サーバ装置の動作
サーバ装置４の印刷ジョブ受信手段４００がユーザ端末装置３から送信された印刷ジョブを受信すると、取得手段４０１は、印刷ジョブからユーザの位置情報及び生体情報を取得する（Ｓ１）。取得手段４０１は、取得した生体情報をユーザＩＤに対応付けて生体情報格納部４１２に格納する。
【００５８】
次に、決定手段４０２Ａは、使用可能な画像形成装置の位置情報を画像形成装置位置テーブル４１１ａから取得する（Ｓ２）。図４に示す場合、画像形成装置ＩＤの「printerB」は、「稼働状況」欄で停止中となっているので、「printerB」は使用可能な画像形成装置に含まれない。
【００５９】
次に、決定手段４０２Ａは、取得手段４０１により取得されたユーザの位置情報、及び画像形成装置位置テーブル４１１ａに登録されている画像形成装置５の位置情報に基づいて、ユーザの位置から使用可能な各画像形成装置５１〜５Ｎの位置までの距離Ｌ１〜ＬＮを計算する（Ｓ３）。
【００６０】
決定手段４０２Ａは、ユーザの位置から各画像形成装置５の位置までの距離の平均値Ｌｍ＝（Ｌ１＋Ｌ２＋・・・ＬＮ）／Ｎを算出する。決定手段４０２Ａは、平均値よりも短い距離の画像形成装置５をユーザに近いグループの画像形成装置とし、平均値よりも長い距離の画像形成装置５をユーザから遠いグループの画像形成装置とする。
【００６１】
決定手段４０２Ａは、取得手段４０１が印刷ジョブから取得した生体情報から活動量を取得する（Ｓ４）。決定手段４０２Ａは、ユーザの前日の活動量が目標値以上か否かを判断する（Ｓ５）。
【００６２】
ユーザの前日の活動量が目標値未満の場合は（Ｓ５：Ｎｏ）、ユーザから遠いグループの画像形成装置５の中からユーザから最も遠い１つの画像形成装置５を選択し、その画像形成装置５を出力先として決定する（Ｓ６）。ユーザの前日の活動量が目標値以上の場合は（Ｓ５：Ｙｅｓ）、ユーザに近いグループの画像形成装置５の中からユーザに最も近い１つの画像形成装置５を選択し、その画像形成装置５を出力先として決定する（Ｓ７）。
【００６３】
通知手段４０３Ａは、ステップＳ６又はＳ７で決定された出力先を含む出力先通知画面の情報をユーザ端末装置３に送信する（Ｓ８）。ユーザ端末装置２の出力先受信手段３０４は、サーバ装置４の通知手段４０３Ａから送信された出力先通知画面の情報を受信する。出力先受信手段３０４は、受信した出力先通知画面の情報に基づいて表示部３３に出力先通知画面を表示する。
【００６４】
図５は、ユーザ端末装置３の表示部３３に表示された出力先通知画面の一例を示す図である。出力先通知画面３３０Ａには、「活動量が少ないため、移動量が多くなるプリンタに決定しました。」のメッセージ３３１と、決定した出力先の画像形成装置ＩＤ「printerB」３３２と、画像形成装置５の位置３３３ａ、３３３ｂと、ユーザの位置３３４と、ユーザの位置３３４から決定された出力先の画像形成装置の位置３３３ｂまでの歩数（１００歩）３３５ｂと、「ＯＫ」ボタン３３６とが表示されている。
【００６５】
ユーザは、出力先通知画面３３０Ａの通知内容を確認すると、入力部３２を操作して「ＯＫ」ボタン３３６を操作する。ユーザ端末装置３は、出力先の通知内容を確認した旨のＯＫ信号をサーバ装置４に送信する。
【００６６】
サーバ装置４の印刷ジョブ送信手段４０４は、ユーザ端末装置３からＯＫ信号が送信されると、印刷ジョブから生体情報を除去し、その印刷ジョブを決定手段４０２Ａにより決定された出力先の画像形成装置５にネットワーク通信部４２を介して送信する（Ｓ９）。
【００６７】
出力先の通知を受けたユーザは、出力先の画像形成装置５の位置まで歩いて行き、画像形成装置５の操作部（図示省略）にユーザＩＤ及びパスワードを入力して印刷を実行させる。
【００６８】
［第２の実施の形態］
図７は、本発明の第２の実施の形態に係るサーバ装置の構成例を示すブロック図である。本実施の形態は、第１の実施の形態とは、決定手段及び通知手段が異なる。以下、第１の実施の形態と異なる点を中心に説明する。
【００６９】
本実施の形態の決定手段４０２Ｂは、第１の実施の形態と同様に、出力先の画像形成装置５を決定する。決定手段４０２Ｂは、ユーザの位置から各画像形成装置５の位置までの距離を算出する際、ユーザの位置から各画像形成装置５の位置までの歩数を算出する。決定手段４０２Ｂは、出力先をユーザが変更した場合には、変更後の出力先を最終の出力先として決定する。
【００７０】
本実施の形態の通知手段４０３Ｂは、決定手段４０２Ｂにより決定された画像形成装置、他の画像形成装置、及びユーザが現在位置から各画像形成装置の位置まで移動した場合の歩数を含む出力先選択画面の情報をユーザ端末装置３に送信し、１つの画像形成装置を選択させる。
【００７１】
（第２の実施の形態の動作）
図９は、本発明の第２の実施の形態に係る情報処理システムの動作の一例を示すフローチャートである。
【００７２】
ステップＳ１１〜Ｓ１７までは第１の実施の形態と同様である。すなわち、サーバ装置４の印刷ジョブ受信手段４００が印刷ジョブを受信すると、取得手段４０１は、印刷ジョブからユーザの位置情報及び生体情報を取得し（Ｓ１１）、使用可能な画像形成装置の位置情報を画像形成装置位置テーブル４１１ａから取得する（Ｓ１２）。
【００７３】
次に、決定手段４０２Ｂは、ユーザの位置から使用可能な各画像形成装置５１〜５Ｎまでの距離を計算し（Ｓ１３）、生体情報から活動量を取得し（Ｓ１４）、ユーザの前日の活動量が目標値以上か否かを判断する（Ｓ１５）。
【００７４】
ユーザの前日の活動量が目標値未満の場合は（Ｓ１５：Ｎｏ）、ユーザから遠いグループの画像形成装置５の中からユーザから最も遠い１つの画像形成装置５を選択し、その画像形成装置５を出力先として決定する（Ｓ１６）。ユーザの前日の活動量が目標値以上の場合は（Ｓ１５：Ｙｅｓ）、ユーザに近いグループの画像形成装置５の中からユーザに最も近い１つの画像形成装置５を選択し、その画像形成装置５を出力先として決定する（Ｓ１７）。
【００７５】
通知手段４０３Ｂは、決定手段４０２Ｂが決定した出力先を含む出力先選択画面の情報をユーザ端末装置３に送信する。ユーザ端末装置３の出力先受信手段３０４は、通知手段４０３Ｂから送信された出力先選択画面の情報を受信する。出力先受信手段３０４は、受信した出力先選択画面の情報に基づいて表示部３３に出力先選択画面を表示する（Ｓ１８）。
【００７６】
図８は、ユーザ端末装置３の表示部３３に表示された出力先選択画面の一例を示す図である。出力先選択画面３３０Ｂには、「目標歩数まで、2000歩です。」のメッセージ３３１と、ラジオボタン３３７と、出力先の画像形成装置ＩＤ「printerB」３３８と、ユーザの位置から各画像形成装置５の位置までの歩数３３９と、画像形成装置５の位置３３３ａ、３３３ｂと、ユーザの位置３３４と、ユーザの位置３３４から各画像形成装置の位置３３３ａ、３３３ｂまでの歩数３３５ａ、３３５ｂと、「ＯＫ」ボタン３３６とが表示されている。同図の場合、決定手段４０２Ｂによって決定された出力先の画像形成装置ＩＤ「printerB」のラジオボタン３３７がディフォルトで選択されている。
【００７７】
ユーザは、入力部３２を操作してラジオボタン３３７をチェックして出力先を選択して「ＯＫ」ボタン３３６を操作する（Ｓ１６：Ｙｅｓ）。すなわち、決定手段４０２Ｂが決定した出力先でよければ、ユーザはラジオボタン３３７をチェックせずに「ＯＫ」ボタン３３６を操作する。出力先を変更する場合は、希望する画像形成装置ＩＤのラジオボタン３３７をチェックして「ＯＫ」ボタン３３６を操作する。
【００７８】
ユーザ端末装置３の制御部３０は、「ＯＫ」ボタン３３６が操作されると、選択された画像形成装置ＩＤをサーバ装置４に送信する。サーバ装置４の決定手段４０２Ｂは、ユーザ端末装置３から送信された画像形成装置ＩＤを出力先として最終的に決定する（Ｓ２０）。
【００７９】
印刷ジョブ送信手段４０４は、印刷ジョブから生体情報を除去し、その印刷ジョブを決定手段４０２Ｂにより決定された出力先の画像形成装置５にネットワーク通信部４２及びネットワーク７を介して送信する（Ｓ２１）。
【００８０】
出力先の通知を受けたユーザは、出力先の画像形成装置５の位置まで歩いていき、画像形成装置５の操作部（図示省略）にユーザＩＤ及びパスワードを入力して印刷を実行させる。
【００８１】
以上、本発明の実施の形態を説明したが、本発明の実施の形態は上記実施の形態に限定されるものではなく、本発明の要旨を変更しない範囲内で種々の変形、実施が可能である。
【００８２】
（変形例１）
第１及び第２の実施の形態において、決定手段は、取得された生体情報のうちバイタル情報又はその他の情報から疲労度を推定し、推定した疲労度及び位置情報に基づいて画像形成装置を決定してもよい。この場合、決定手段は、疲労度が目標値以上の場合は、疲労度が目標値未満の場合よりもユーザの位置に近い画像形成装置を決定してもよい。
【００８３】
（変形例２）
第１及び第２の実施の形態では、生体情報及び位置情報を印刷ジョブに組み込んでユーザ端末装置３からサーバ装置４に送信したが、生体情報及び位置情報を印刷ジョブとは別にサーバ装置４に送信してもよい。例えば、生体情報の測定時刻の直前に印刷ジョブを生成する場合、その前に測定した生体情報をサーバ装置４に送信することになるが、生体情報を印刷ジョブとは別にサーバ装置４に送信することにより、最新の生体情報をサーバ装置４に送信することが可能になる。
【００８４】
（変形例３）
第１及び第２の実施の形態では、生体情報及び位置情報を印刷ジョブに組み込んでユーザ端末装置３からサーバ装置４に送信したが、生体情報を印刷ジョブに組み込んでサーバ装置に送信し、位置情報を印刷ジョブとは別にサーバ装置４に送信してもよい。印刷ジョブを生成した後にユーザが移動した場合でも移動した位置を現在位置として出力先を決定することができる。
【００８５】
（変形例４）
第１及び第２の実施の形態では、活動量として歩数を測定したが、消費カロリー等の他の活動量を測定し、消費カロリー等の他の活動量に基づいて出力先の画像形成装置を決定してもよい。
【００８６】
制御部２０、３０、４０の各手段は、それぞれ一部又は全部を再構成可能回路（ＦＰＧＡ：Field Programmable Gate Array）、特定用途向け集積回路（ＡＳＩＣ：Application Specific Integrated Circuit）等のハードウエア回路によって構成してもよい。
【００８７】
また、本発明の要旨を変更しない範囲内で、上記実施の形態の構成要素の一部を省くことや変更することが可能である。また、本発明の要旨を変更しない範囲内で、上記実施の形態のフローにおいて、ステップの追加、削除、変更、入替え等が可能である。また、上記実施の形態で用いたプログラムをＣＤ−ＲＯＭ等のコンピュータ読み取り可能な記録媒体に記録して提供することができる。また、上記実施の形態で用いたプログラムをクラウドサーバ等の外部サーバに格納しておき、ネットワークを介して利用することができる。
【符号の説明】
【００８８】
１…情報処理システム、２…ウェアラブル端末装置、３…ユーザ端末装置、４…サーバ装置、５、５１-５Ｎ…画像形成装置、６…生体情報管理装置、７…ネットワーク、２０…制御部、２１…記憶部、２２…生体情報測定部、２３…位置情報取得部、２４…無線通信部、３０…制御部、３１…記憶部、３２…入力部、３３…表示部、３４…無線通信部、３５…ネットワーク通信部、４０…制御部、４１…記憶部、４２…ネットワーク通信部、３０１…生体情報受信手段、３０２…印刷ジョブ生成手段、３０３…印刷ジョブ送信手段、３０４…出力先受信手段、３１０…プログラム格納部、３１１…文書データ格納部、３１２…生体情報格納部、３３０Ａ…出力先通知画面、３３０Ｂ…出力先選択画面、３３１…メッセージ、３３２…画像形成装置ＩＤ、３３３ａ、３３３ｂ…画像形成装置の位置、３３４…ユーザの位置、３３５ａ、３３５ｂ…歩数、３３６…「ＯＫ」ボタン、３３７…ラジオボタン、３３８…画像形成装置ＩＤ、３３９…歩数、４００…印刷ジョブ受信手段、４０１…取得手段、４０２Ａ、４０２Ｂ…決定手段、４０３Ａ、４０３Ｂ…通知手段、４０４…印刷ジョブ送信手段、４１０…プログラム格納部、４１１…画像形成装置位置テーブル格納部、４１１ａ…画像形成装置位置テーブル、４１２…生体情報格納部
【図１】
2018160031.tif 000003
【図２】
2018160031.tif 000004
【図３】
2018160031.tif 000005
【図４】
2018160031.tif 000006
【図５】
2018160031.tif 000007
【図６】
2018160031.tif 000008
【図７】
2018160031.tif 000009
【図８】
2018160031.tif 000010
【図９】
2018160031.tif 000011